(57)【要約】  テーブル型の画像表示装置Ａにおいて、ディスプレイ１０５上に打ち合わせの資料等であるオブジェクトＤ１、Ｄ２が表示されている。例えば、打ち合わせの参加者Ｐ１、Ｐ２が共通のオブジェクトＤ２に基づいて討議する等、オブジェクトに対する複数の参加者による競合が発生した場合、その競合を自動的に検出して、討議をしている参加者に見やすいようにオブジェクトを拡大して表示する。
2010021240.tif 000002
【特許請求の範囲】
【請求項１】
オブジェクトを表示する表示部と、
当該表示部に表示されたオブジェクトに対する複数のユーザーによる競合を自動的に検出する検出部と、
当該検出部により前記競合が検出された場合、競合するオブジェクトを拡大する処理部と、
を有することを特徴とする画像表示装置。
【請求項２】
前記処理部は、競合するオブジェクトを拡大した際に、拡大されたオブジェクト以外で前記表示部に表示されている他のオブジェクトを、前記拡大されたオブジェクトにより隠れない位置に移動する請求項１に記載の画像表示装置。
【請求項３】
前記処理部は、競合するオブジェクトを拡大した際に、拡大されたオブジェクト以外で前記表示部に表示されている他のオブジェクトを、前記拡大されたオブジェクトにより隠れない大きさに縮小する請求項１又は２に記載の画像表示装置。
【請求項４】
前記検出部は、ユーザーの指が指す方向に基づいて前記競合を検出する請求項１乃至３の何れか１項に記載の画像表示装置。
【請求項５】
前記検出部は、ユーザーが発した音声に基づいて前記競合を検出する請求項１乃至３の何れか１項に記載の画像表示装置。
【請求項６】
前記検出部は、ユーザーの視線に基づいて前記競合を検出する請求項１乃至３の何れか１項に記載の画像表示装置。
【請求項７】
オブジェクトを表示する表示部と、
当該表示部に表示されたオブジェクトに対する複数のユーザーによる競合を自動的に検出する検出部と、
当該検出部により前記競合が検出された場合、競合するオブジェクトを前記表示部における共有表示領域に移動し、当該共有表示領域に移動したオブジェクトの表示方向を調整する処理部と、
を有することを特徴とする画像表示装置。
【請求項８】
前記処理部により競合するオブジェクトが前記共有表示領域に移動した場合、前記表示部は、競合するオブジェクトの移動前の位置に、競合するオブジェクトと同じ内容のオブジェクトを表示する請求項７に記載の画像表示装置。
【請求項９】
前記検出部は、ユーザーの指が指す方向に基づいて前記競合を検出する請求項７又は８に記載の画像表示装置。
【請求項１０】
前記検出部は、ユーザーが発した音声に基づいて前記競合を検出する請求項７又は８に記載の画像表示装置。
【請求項１１】
前記検出部は、ユーザーの視線に基づいて前記競合を検出する請求項７又は８に記載の画像表示装置。
【発明の詳細な説明】
【技術分野】
【０００１】
本発明は複数人で打ち合わせ等を行う場合に使用される画像表示装置（電子ボード等）に関する。
【背景技術】
【０００２】
従来より、打ち合わせ用の写真や資料等を表示して複数人で打ち合わせ等を行う場合に使用される画像表示装置（電子ボード等）が提案されている。この画像表示装置は例えばテーブル型のものがあり、複数人がテーブル型の画像表示装置を取り囲んで画像表示装置に表示される資料を見ながら討議をする。【０００３】
画像表示装置として特許文献１又は特許文献２に記載の技術があり、特許文献１又は特許文献２に記載の技術は、複数人がテーブル型であるディスプレイ装置（画像表示装置）を取り囲んでディスプレイ装置の共通領域に表示された資料を見て討議をしている。特許文献１又は特許文献２に記載の技術のようにディスプレイ装置に表示された資料をもとに討議できれば、参加者用に資料を紙に出力して個別に用意する必要はなく、利便性がよい。
【先行技術文献】
【特許文献】
【０００４】
【特許文献１】特開２０００−４７７８６号公報
【特許文献２】特開２０００−４７７８８号公報
【発明の概要】
【発明が解決しようとする課題】
【０００５】
ところで、テーブル型の画像表示装置に表示された一つの資料（オブジェクト）に基づいて、画像表示装置を取り囲んでいる参加者が討議する場合、画像表示装置に対する参加者の居場所によって資料の見やすさが異なってくる。例えば資料が表示されている位置に近い者は資料が見やすく、遠い者は資料が見にくい。特に画像表示装置が大きく参加者同士が離れており、且つ表示された資料が小さい場合は、参加者の居場所によって資料の見やすさは顕著に異なってくる。この場合、遠い者に対して近づけるように資料の表示位置を移動させると、今まで資料が近くに表示されて見やすかった者にとって見にくくなってしまい問題である。【０００６】
そこで、本発明の目的は、表示される一つの資料（オブジェクト）に基づいて複数の者が討議する場合、複数の者に資料を見やすくする画像表示装置を提供することにある。
【課題を解決するための手段】
【０００７】
上記目的を達成するため、本発明に係る画像表示装置は、
オブジェクトを表示する表示部と、
当該表示部に表示されたオブジェクトに対する複数のユーザーによる競合を自動的に検出する検出部と、
当該検出部により前記競合が検出された場合、競合するオブジェクトを拡大する処理部と、
を有することを特徴とするものである。【０００８】
また、本発明に係る画像表示装置は、
オブジェクトを表示する表示部と、
当該表示部に表示されたオブジェクトに対する複数のユーザーによる競合を自動的に検出する検出部と、
当該検出部により前記競合が検出された場合、競合するオブジェクトを前記表示部における共有表示領域に移動し、当該共有表示領域に移動したオブジェクトの表示方向を調整する処理部と、
を有することを特徴とするものである。
【発明の効果】
【０００９】
本発明に係る画像表示装置によれば、画像表示装置を取り囲み、画像表示装置に表示される一つの資料（オブジェクト）に基づいて複数の者が討議する場合でも、複数の者に資料を見やすくすることが出来る。
【図面の簡単な説明】
【００１０】
【図１】本発明に係る画像表示装置の概略図である。
【図２】本発明に係る画像表示装置のブロック図である。
【図３】オブジェクトの拡大動作及び拡大動作に関連する動作を示すフローチャート図である。
【図４】図１に示す画像表示装置を上方から見た概略図である。
【図５】図１に示す画像表示装置を上方から見た概略図である。
【図６】ディスプレイの共有表示領域に競合するオブジェクトを表示する動作を示すフローチャート図である。
【図７】図１に示す画像表示装置を上方から見た概略図である。
【図８】図１に示す画像表示装置を上方から見た概略図である。
【図９】別の形態の画像表示装置を上方から見た概略図である。
【図１０】別の形態の画像表示装置を上方から見た概略図である。
【図１１】競合するオブジェクトにマークを付与した状態を示す説明図である。
【発明を実施するための形態】
【００１１】
［画像表示装置の概要］図１は本発明に係る画像表示装置の概略図である。
【００１２】
図１に示す画像表示装置Ａはテーブル型であり、水平方向にディスプレイ（表示部）１０５が広がっている。複数の参加者Ｐ１〜Ｐ４が画像表示装置Ａの周囲を取り囲むように座り、ディスプレイ１０５に表示された資料であるオブジェクトＤ１、Ｄ２を見て、打ち合わせを行うことが出来る。
【００１３】
ディスプレイ１０５に表示されているオブジェクトＤ１は写真画像であり、オブジェクトＤ２はドキュメント画像である。その他各種のオブジェクトがディスプレイ１０５に表示可能であり、オブジェクトの情報は後述する画像表示装置ＡのＨＤＤ（Ｈａｒｄ  Ｄｉｓｃ  Ｄｒｉｖｅ）１０４に記憶されている。また、オブジェクトの情報を記憶した記憶媒体を画像表示装置Ａに接続してディスプレイ１０５に表示させることも出来る。
【００１４】
ディスプレイ１０５はタッチパネル形式となっており、ディスプレイ１０５に表示されているオブジェクトＤ１、Ｄ２を参加者Ｐ１〜Ｐ４が触って動かすことによりオブジェクトＤ１、Ｄ２の表示位置を変更することが出来る。また、参加者Ｐ１〜Ｐ４がディスプレイ１０５に触って描くことにより、文字等をディスプレイ１０５に表示させることも出来る。
【００１５】
各参加者Ｐ１〜Ｐ４が座っている場所には個別にカメラ１０６とマイク１０７が設置されている。カメラ１０６により各参加者Ｐ１〜Ｐ４が撮影され、マイク１０７により各参加者Ｐ１〜Ｐ４が発する音声が収集される。
【００１６】
図１に示す画像表示装置Ａは参加者Ｐ１〜Ｐ４の４人で打ち合わせを行う場合に単独で使用されているが、画像表示装置Ａをネットワークを経由して遠隔地にある他の画像表示装置と接続することも可能である。この場合、同じオブジェクトを互いのディスプレイ上に表示し、カメラ１０６で撮影した画像やマイク１０７で収集された音声を他の画像表示装置に送信し、異なる場所に居る者同士で打ち合わせを行うことも出来る。
【００１７】
図２は本発明に係る画像表示装置のブロック図であり、代表的な構成を示している。
【００１８】
図２に示すように画像表示装置Ａは通信部１０８を通じてＰＣと接続されており、ＰＣから送信されたデータをＨＤＤ１０４に保存したり、ディスプレイ１０５にオブジェクトとして表示したりすることが出来る。
【００１９】
画像表示装置ＡにはＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３等が内蔵されている。ＣＰＵ１０１は画像表示装置全体の動作を制御するものであり、ＲＯＭ１０２やＲＡＭ１０３等に接続されている。このＣＰＵ１０１は、ＲＯＭ１０２に記憶されている各種プログラムを読み出してＲＡＭ１０３に展開し、各部の動作を制御する。また、ＣＰＵ１０１は、ＲＡＭ１０３に展開したプログラムに従って各種処理を実行し、その処理結果をＲＡＭ１０３に格納する。そして、ＲＡＭ１０３に格納した処理結果を所定の保存先に保存させる。なお、本実施形態においては、ＣＰＵ１０１はＲＯＭ１０２及びＲＡＭ１０３と協働することにより検出部、処理部を構成する。
【００２０】
ＲＯＭ１０２は、プログラムやデータ等を予め記憶しており、半導体メモリで構成されている。ＲＡＭ１０３は、ＣＰＵ１０１によって実行される各種プログラムによって処理されたデータ等を一時的に記憶するワークエリアを形成する。ＨＤＤ１０４は、ディスプレイ１０５に表示するオブジェクトの情報を記憶する機能を有する。またＨＤＤ１０４は磁性体を塗布または蒸着した金属のディスクを重ね合わせた構造になっており、これをモータで高速に回転させて磁気ヘッドを近づけてデータを読み書きする。ディスプレイ１０５、カメラ１０６、マイク１０７はＣＰＵ１０１によって動作が制御される。
【００２１】
［競合するオブジェクトの拡大］ところで、図１に示すテーブル型の画像表示装置Ａを使用し、参加者Ｐ１〜Ｐ４がディスプレイ１０５に表示されるオブジェクトＤ１、Ｄ２に基づいて討議する場合、参加者Ｐ１〜Ｐ４の座る位置によってオブジェクトＤ１、Ｄ２の見やすさが異なってくる。例えば、図１に示すオブジェクトＤ２に基づいて参加者Ｐ１と参加者Ｐ４が討議する場合、参加者Ｐ１はオブジェクトＤ２に近いため見やすいが、参加者Ｐ４はオブジェクトＤ２に遠いため見にくい。
【００２２】
そこで、複数の参加者が同じ一つのオブジェクトを見て討議する場合等、複数の参加者による競合が発生した場合、その一つのオブジェクトを拡大して表示し、複数の参加者がオブジェクトを見やすいようにする（本発明において「競合」とは、複数の参加者が同じ一つのオブジェクトを見て討議する場合等、一つのオブジェクトに対して複数の参加者の意識が合致することをいう）。以下、図３〜図５を用いてディスプレイ１０５上でオブジェクトを拡大する動作について詳しく説明する。
【００２３】
図３は、オブジェクトの拡大動作及び拡大動作に関連する動作を示すフローチャート図である。なお、図３における判断ステップ（ステップＳ２、Ｓ４、Ｓ６）は、画像表示装置ＡにおけるＣＰＵ１０１がＲＯＭ１０２及びＲＡＭ１０３と協働することにより実行される。図４（ａ）、図４（ｂ）、図５（ａ）、及び図５（ｂ）は、図１に示す画像表示装置Ａを上方から見た概略図であり、画像表示装置Ａにおけるディスプレイ１０５には４つのオブジェクトＤ３〜Ｄ６が表示されているものとする。
【００２４】
まず、画像表示装置Ａのディスプレイ１０５においてオブジェクト（図４及び図５ではＤ３〜Ｄ６）を表示する（ステップＳ１）。表示されるオブジェクトの情報は例えばＨＤＤ１０４に記憶されており、参加者Ｐ１〜Ｐ４がディスプレイ１０５に表示すべきオブジェクトを選択し、その選択されたオブジェクトが表示される。
【００２５】
ディスプレイ１０５にオブジェクトが表示されると、そのオブジェクトに基づいて参加者Ｐ１〜Ｐ４が討議をするわけであるが、この際にディスプレイ１０５に表示されているオブジェクトにおいて参加者による競合が発生したか否か自動的に判断する（ステップＳ２）。ディスプレイ１０５にオブジェクトが表示されている間は、常時、ＣＰＵ１０１等が参加者による競合が発生するのか否か自動的に検出している。
【００２６】
競合を検出する方法は多種考えられ、例えば、参加者Ｐ１〜Ｐ４の指が指す方向、参加者Ｐ１〜Ｐ４が発した音声、参加者Ｐ１〜Ｐ４の視線等に基づいて検出する。
【００２７】
参加者Ｐ１〜Ｐ４の指が指す方向や参加者Ｐ１〜Ｐ４の視線に基づいて競合を検出する場合は、まず各参加者Ｐ１〜Ｐ４の前に設置されているカメラ１０６により撮影された画像を解析し、参加者の指が指す方向や参加者の視線を参加者毎に特定する。そして参加者毎に特定された方向等を合算して解析し、一つのオブジェクトに対して複数の参加者の指が指す方向が合致していたり、複数の参加者の視線が合致していたりした場合は、競合が発生したと検出する。
【００２８】
また、参加者Ｐ１〜Ｐ４が発した音声により競合を検出する場合は、まずマイク１０７により収集した音声に基づいて参加者が発した言葉を参加者毎に特定する。ディスプレイ１０５に表示されるオブジェクト毎にキーワードが設定されており、複数の参加者が発した言葉が一つのオブジェクトにおけるキーワードと合致した場合に、競合が発生したと検出する。この場合、オブジェクトとキーワードが予めデータテーブルとしてＲＯＭ１０２等に記憶されている。
【００２９】
ステップＳ２において参加者による競合が発生したと判断した場合は（ステップＳ２；Ｙｅｓ）、討議をしている参加者に見やすいように、競合するオブジェクトを拡大する（ステップＳ３）。この点について図４を用いて説明する。
【００３０】
図４（ａ）で示すようにディスプレイ１０５には４つのオブジェクトＤ３〜Ｄ６が表示されており、例えば参加者Ｐ１と参加者Ｐ３がオブジェクトＤ５を見て討議しているとする。そのような状態では、オブジェクトＤ５に対して参加者Ｐ１と参加者Ｐ３による競合が発生していると判断されるため、図４（ｂ）で示すようにオブジェクトＤ５が拡大される。このように競合したオブジェクトＤ５を拡大して表示することにより、オブジェクトＤ５を見て討議をしている参加者Ｐ１、参加者Ｐ３にとって、オブジェクトＤ５の内容が見やすくなる。
【００３１】
ところで、図４（ｂ）で示すようにオブジェクトＤ５を拡大すると、ディスプレイ１０５に表示されている他のオブジェクトＤ３、Ｄ４、Ｄ６が拡大されたオブジェクトＤ５によって隠れてしまい、参加者Ｐ１〜Ｐ４に見えなくなってしまう。そこで、オブジェクトＤ５を拡大しても他のオブジェクトＤ３、Ｄ４、Ｄ６が隠れないようにする。この点の動作については、図３におけるステップＳ４以降に示されている。
【００３２】
図３に戻って動作の説明を継続する。ステップＳ３において競合するオブジェクトの拡大動作が完了すると、拡大されたオブジェクトＤ５によって隠れるオブジェクトがあるかどうか判断し、その上で拡大されたオブジェクトＤ５の周辺にある他のオブジェクトＤ３、Ｄ４、Ｄ６を隠れない位置に移動するか否か判断する（ステップＳ４）。隠れるオブジェクトを移動するか否かは例えば画像表示装置Ａにおける初期設定において設定されており、設定されている内容に基づいて移動するか否か判断する。
【００３３】
ステップＳ４においてオブジェクトＤ３、Ｄ４、Ｄ６を隠れない位置に移動すると判断した場合は、オブジェクトＤ３、Ｄ４、Ｄ６を拡大されたオブジェクトＤ５により隠れない位置に移動する（ステップＳ５）。例えば図５（ａ）の矢印方向に各オブジェクトが移動する。その結果、オブジェクトＤ５が拡大されても他のオブジェクトＤ３、Ｄ４、Ｄ６はオブジェクトＤ５によって隠れないため、参加者Ｐ１〜Ｐ４は引き続きオブジェクトＤ３、Ｄ４、Ｄ６を見て討議することが出来る。
【００３４】
また、ステップＳ６では、オブジェクトＤ３、Ｄ４、Ｄ６を拡大されたオブジェクトＤ５により隠れない大きさに縮小するか否か判断する。オブジェクトを移動するか否かの判断と同様に、オブジェクトを縮小するか否かは例えば画像表示装置Ａにおける初期設定において設定されており、設定されている内容に基づいて縮小するか否か判断する。
【００３５】
ステップＳ６においてオブジェクトＤ３、Ｄ４、Ｄ６を隠れない大きさに縮小すると判断した場合は、オブジェクトＤ３、Ｄ４、Ｄ６を拡大されたオブジェクトＤ５により隠れない大きさに縮小する（ステップＳ７）。例えば図５（ｂ）に示すようにオブジェクトＤ３、Ｄ４、Ｄ６を縮小する。その結果、オブジェクトＤ５が拡大されてオブジェクトＤ３、Ｄ４、Ｄ６の位置を移動しなくて、オブジェクトＤ３、Ｄ４、Ｄ６はオブジェクトＤ５によって隠れないため、参加者Ｐ１〜Ｐ４は引き続きオブジェクトＤ３、Ｄ４、Ｄ６を見て討議することが出来る。
【００３６】
以上図３〜図５を用いて説明したように、複数の参加者が同じ一つのオブジェクトを見て討議する場合等、複数の参加者による競合が発生した場合、少なくとも競合するオブジェクトを拡大すれば、複数の参加者がオブジェクトを見やすくなり、円滑に打ち合わせを行うことが出来る。また、オブジェクトの競合を自動的に検出してオブジェクトの拡大動作等を実行することにより、参加者により特別な操作が不要となり手間が省ける。
【００３７】
［競合するオブジェクトの共有表示領域への移動・回転］図３〜図５ではオブジェクトに対する参加者による競合が発生した場合は、競合するオブジェクトを拡大して参加者に見やすいようにしたが、競合するオブジェクトを参加者が見やすいディスプレイ１０５の共有表示領域に移動し、オブジェクトの表示方向を調整する方法も考えられる。この点を図６〜図１０を用いて説明する。
【００３８】
図６はディスプレイ１０５の共有表示領域に競合するオブジェクトを表示する動作を示すフローチャート図である。なお、図６における判断ステップ（ステップＳ１２）は、画像表示装置ＡにおけるＣＰＵ１０１がＲＯＭ１０２及びＲＡＭ１０３と協働することにより実行される。図７（ａ）、図７（ｂ）、図８は、図１に示す画像表示装置Ａを上方から見た概略図であり、画像表示装置Ａにおけるディスプレイ１０５には４つのオブジェクトＤ３〜６が表示されているものとする。
【００３９】
図６におけるステップＳ１１、Ｓ１２は図３におけるステップＳ１、Ｓ２と同様の動作であるため、ここでの説明は省略する。
【００４０】
ステップＳ１２において参加者による競合が発生したと判断した場合は（ステップＳ１２；Ｙｅｓ）、まず、競合するオブジェクトをディスプレイ１０５の共有表示領域に移動する（ステップＳ１３）。この点について図７を用いて説明すると、図７（ａ）で示すようにディスプレイ１０５には４つのオブジェクトＤ３〜Ｄ６が表示されており、例えば参加者Ｐ１と参加者Ｐ３がオブジェクトＤ５を見て討議しているとする。そのような状態では、オブジェクトＤ５に対して参加者Ｐ１と参加者Ｐ３による競合が発生していると判断されるため、図７（ｂ）に示すようにディスプレイ１０５の右側にある共有表示領域１０５Ａに競合するオブジェクトＤ５を移動する。
【００４１】
この際、オブジェクトＤ５の移動前の位置にオブジェクトＤ５と同じ内容のオブジェクトＤ５Ａを表示する。このようにすれば、参加者は共有表示領域１０５Ａに表示されたオブジェクトＤ５を見ても良いし、移動前の位置にあるオブジェクトＤ５Ａを見てもよい。また、例えばオブジェクトＤ５が他のオブジェクトＤ３、Ｄ４、Ｄ６との関係で移動前の位置にある方が分かりやすい場合は、移動前の位置に同じ内容のオブジェクトＤ５Ａを表示するメリットがある。
【００４２】
図６に戻って説明を継続する。ステップＳ１３において競合するオブジェクトＤ５を共有表示領域１０５Ａに移動すると、参加者Ｐ１、Ｐ３の位置を考慮し、競合するオブジェクトＤ５の表示方向を調整する（ステップＳ１４）。この点について図８を用いて説明すると、参加者Ｐ１、Ｐ３の位置を考慮して、図８に示す矢印方向にオブジェクトＤ５を回転させてオブジェクトＤ５の表示方向を調整する。
【００４３】
以上図６〜図８を用いて説明したように、複数の参加者が同じ一つのオブジェクトを見て討議する場合等、複数の参加者による競合が発生した場合、競合するオブジェクトを参加者が見やすいディスプレイ１０５の共有表示領域１０５Ａに移動し、オブジェクトの表示方向を調整すれば、複数の参加者がオブジェクトを見やすくなり、円滑に打ち合わせを行うことが出来る。
【００４４】
図７及び図８に示す共有表示領域１０５Ａは、ディスプレイ１０５の同一平面上にあるが、図９及び図１０に示すようにディスプレイ１０５の共有表示領域１０５ＡがオブジェクトＤ３等が表示されているディスプレイ１０５の領域に対して垂直方向に立っている形態も考えられる。オブジェクトＤ５に対する競合が発生した場合は、図９（ｂ）で示すように垂直方向に立っている共有表示領域１０５ＡにオブジェクトＤ５が自動的に移動し、図１０に示すようにオブジェクトＤ５を回転させて表示方向を調整すれば、同様に複数の参加者がオブジェクトを見やすくなり、円滑に打ち合わせを行うことが出来る。
【００４５】
また、競合するオブジェクトは重要なオブジェクトであるという前提で、オブジェクトに対する複数の参加者による競合が発生した場合は、図１１に示すように競合するオブジェクトにマークＭを付与するようにしても良い。また競合した回数が複数回である場合は、その回数分だけマークＭの個数を増やすようにしても良い。このようにすれば、オブジェクトの重要性が簡易に分かり、また新たな参加者が増えたとしても、どのオブジェクトが過去に競合したかどうかをその参加者がすぐに認識することができ、円滑に打ち合わせを行うことが出来る。
【００４６】
なお、本発明は当該実施の形態に限定されるものではなく、本発明の要旨を逸脱しない範囲における変更や追加があっても本発明に含まれる。
【００４７】
本実施形態では、図１に示すようにテーブル型の画像表示装置Ａを用いて説明したが、垂直方向にディスプレイ１０５が表示される等、他の形態の画像表示装置であってもよい。
【００４８】
また、本実施形態では、図２に示すようにＣＰＵ１０１がＲＯＭ１０２及びＲＡＭ１０３と協働することにより検出部、処理部を構成するようにしたが、複数のＣＰＵ、ＲＯＭ、ＲＡＭにより検出部、処理部を構成するようにしても良い。
【符号の説明】
【００４９】
Ａ  画像表示装置
Ｄ１〜Ｄ６  オブジェクト
１０１  ＣＰＵ
１０２  ＲＯＭ
１０３  ＲＡＭ
１０４  ＨＤＤ
１０５  ディスプレイ
１０６  カメラ
１０７  マイク
１０８  通信部
【図１】
2010021240.tif 000003
【図２】
2010021240.tif 000004
【図３】
2010021240.tif 000005
【図４】
2010021240.tif 000006
【図５】
2010021240.tif 000007
【図６】
2010021240.tif 000008
【図７】
2010021240.tif 000009
【図８】
2010021240.tif 000010
【図９】
2010021240.tif 000011
【図１０】
2010021240.tif 000012
【図１１】
2010021240.tif 000013
【国際調査報告】
2010021240.tif 000014
2010021240.tif 000015